(57)【要約】  編目が左右に傾斜した状態の振り柄を筒状編地の周面に連続的に形成することを可能とした筒状編地の編成方法の提供を目的とする。  筒状編地の編成方法は、少なくとも前後一対の針床を備え、前後の針床が相対的にラッキング可能に構成された横編機を用いて編成され、編目が左右に傾斜した状態の振り柄を有する筒状編地の編成方法であって、編目の傾斜方向を右から左に変更する際には、前針床の編針に係止する前編地の左端の編目を後針床の空針に目移しするとともに、後針床の編針に係止する後編地の右端の編目を前針床の空針に目移しすることを特徴とするものである。
2009072617.tif 000002
【特許請求の範囲】
【請求項１】
少なくとも前後一対の針床を備え、前後の針床が相対的にラッキング可能に構成された横編機を用いて編成され、編目が左右に傾斜した状態の振り柄を有し、前針床の編針が係止する前編地と後針床の編針が係止する後編地が左右両端で接続された筒状編地の編成方法であって、前後いずれか一方の針床の編針に係止する編地のうち振り柄を形成する編地の編目を、当該一方の針床の編針から他方の針床の空針に目移しし、前記一方の針床の編針に残っている編目と、他方の針床の編針に目移しした編目との相対位置を変更する第１のラッキングを行った後、前記一方の針床の編針に係止する編目と他方の針床の編針に目移しした編目に対し編成を行い、前記第１のラッキング前の相対位置に戻す第２のラッキングを行い、他方の針床の編針に目移しした編目列の編目を一方の針床の空針に目移しするステップと、前記一方の針床から他方の針床の空針に目移しした後ラッキングを行わずに編成を行い、目移しした編目列の編目を目移し前の一方の針床にある編目と同じ位置関係に目移しするステップとを含み、編目の傾斜方向を左から右に変更する際には、前針床の編針に係止する前編地の右端の編目を後針床の空針に目移しするとともに、後針床の編針に係止する後編地の左端の編目を前針床の空針に目移しし、編目の傾斜方向を右から左に変更する際には、前針床の編針に係止する前編地の左端の編目を後針床の空針に目移しするとともに、後針床の編針に係止する後編地の右端の編目を前針床の空針に目移しすることを特徴とする振り柄を有する筒状編地の編成方法。
【請求項２】
請求項１に記載の振り柄を形成するに際し、前針床の編針に係止する前編地を後針床の編針に係止する後編地に対して、編目の傾斜方向と逆方向に予め所定量ずれた状態より編成することを特徴とする請求項１に記載の振り柄を有する筒状編地の編成方法。
【請求項３】
少なくとも前後一対の針床を備え、前後の針床が相対的にラッキング可能に構成された横編機を用いて編成される筒状の編地に、編目が左右に傾斜した状態の振り柄を有する筒状編地であって、編目の傾斜方向が左から右に変更される際には、前針床の編針に係止される前編地の右端の編目が後針床の空針に目移しされるとともに、後針床の編針に係止される後編地の左端の編目が前針床の空針に目移しされ、編目の傾斜方向が右から左に変更される際には、前針床の編針に係止される前編地の左端の編目が後針床の空針に目移しされるとともに、後針床の編針に係止される後編地の右端の編目が前針床の空針に目移しされることにより振り柄が形成されていることを特徴とする振り柄を有する筒状編地。
【発明の詳細な説明】
【技術分野】
【０００１】
本発明は、横編機で編成される筒状編地及びその編成方法に係り、更に詳しくは振り柄を有する筒状編地及びその編成方法に関するものである。
【背景技術】
【０００２】
筒状編地の表側に表目及び裏目が交互に現れるリブ編みを、少なくとも前後一対の針床を備えた横編機により編成する技術が下記特許文献１に開示されている。
また、筒状でない平編みよりなる編地について、前後の針床が相対的にラッキング可能に構成された横編機を利用することで、編目が傾斜した状態の振り柄を有する編地の編成が可能であることは公知である。
そして、そのような振り柄を有する筒状でない平編みの編地は、編目の傾斜方向が編地の所定箇所で変更した状態の振り柄が形成された編地を含み、この編地に関しても、前後の針床が相対的にラッキング可能に構成された横編機により編成可能であることが知られている。【０００３】
このような編目の傾斜方向が編地の所定箇所で変更した状態の振り柄が形成された平編みの編地は、以下に示すような状態になる。
例えば、平編みの編地に編目が左右に傾斜した状態の畦柄を形成する際の編成図の一部を図4に示すが、編成コース１では、後針床をＢＤ、前針床をＦＤとして示す２枚ベッドの横編機を用い、黒丸で示すＦＤの編針ａ〜ｈに係止する平編みの編地に、編目の傾斜方向が右から左に変更した状態の振り柄を形成する。
この場合、編成コース２では、白丸で示すＦＤの編針ｂ，ｄ，ｆ，ｈに係止する編目を、当該ＦＤの編針からＢＤの空針Ｂ，Ｄ，Ｆ，Ｈに目移し、編成コース３では、ＦＤの編針ａ，ｃ，ｅ，ｇに残っている編目と、ＢＤの編針Ｂ，Ｄ，Ｆ，Ｈに目移しした編目との相対位置を変更するようＢＤをＦＤに対し左に２ピッチだけ移動するラッキングを行ってＬ２．５Ｐとした後、ＦＤの編針ａ，ｃ，ｅ，ｇに係止する編目をＶ文字で示すタックで、ＢＤの編針Ｂ，Ｄ，Ｆ，Ｈに目移しした編目を黒丸で示すニットでそれぞれ編成する。
この場合にはＦＤとＢＤとの間で交互に編成がなされ、柄の不連続は生じない。【０００４】
続いて、編目の傾斜方向を右から左に変更する際には、ＢＤのラッキング方向を編成コース３とは逆方向としなければならないので、編成コース４では、ＢＤをＦＤに対し右に２ピッチ移動するラッキングを行ってＲ１．５Ｐとする。
その後、ＦＤの編針ａ，ｃ，ｅ，ｇに係止する編目をＶ文字で示すタックで、ＢＤの編針Ｂ，Ｄ，Ｆ，Ｈに目移しした編目を黒丸で示すニットでそれぞれ編成する。【０００５】
編成コース４では、ＦＤの編針ａ，ｃ間及びＢＤの編針Ｆ，Ｈ間で、それぞれ対向する針床に係止する編目が形成されないこととなり、編地の両端でタック及びニットが連続した不連続な柄が形成されてしまう。
このような不連続な柄が形成された平編みの編地を例えばセータ等の筒状編地に形成する場合には、裁断により編地端部を除去してしまうので、裁断の後縫製して得られた筒状編地には柄の不連続の問題は生じない。【０００６】
【特許文献１】特公平３−７５６５６号公報
【発明の開示】
【発明が解決しようとする課題】
【０００７】
しかしながら、上記編成方法により、編目の傾斜方向が編地の所定箇所で変更した状態の振り柄が形成されたセーター等を、裁断時のカットロスが生じることなく、製造コストを抑え、手間を省くことが可能な筒状編地として製造する場合には、裁断により編地端部を除去することがないので、筒状編地の周面に亘って柄の崩れない筒状の編地を編成することは不可能であった。【０００８】
本発明は、上記した従来の問題点に鑑みてなされたものであって、編目が左右に傾斜した状態の振り柄を筒状編地の周面に連続的に形成することを可能とした筒状編地の編成方法の提供を目的とする。
【課題を解決するための手段】
【０００９】
上記目的を達成するために、本発明に係る振り柄を有する筒状編地の編成方法は、少なくとも前後一対の針床を備え、前後の針床が相対的にラッキング可能に構成された横編機を用いて編成され、編目が左右に傾斜した状態の振り柄を有する筒状編地の編成方法であって、前後いずれか一方の針床の編針に係止する編地のうち振り柄を形成する編地の編目を、当該一方の針床の編針から他方の針床の空針に目移しし、前記一方の針床の編針に残っている編目と、他方の針床の編針に目移しした編目との相対位置を変更する第１のラッキングを行った後、前記一方の針床の編針に係止する編目と他方の針床の編針に目移しした編目に対し編成を行い、前記第１のラッキング前の相対位置に戻す第２のラッキングを行い、他方の針床の編針に目移しした編目列の編目を一方の針床の空針に目移しするステップと、前記一方の針床から他方の針床の空針に目移しした後ラッキングを行わずに編成を行い、目移しした編目列の編目を目移し前の一方の針床にある編目と同じ位置関係に目移しするステップとを含み、編目の傾斜方向を左から右に変更する際には、前針床の編針に係止する前編地の右端の編目を後針床の空針に目移しするとともに、後針床の編針に係止する後編地の左端の編目を前針床の空針に目移しし、編目の傾斜方向を右から左に変更する際には、前針床の編針に係止する前編地の左端の編目を後針床の空針に目移しするとともに、後針床の編針に係止する後編地の右端の編目を前針床の空針に目移しすることを特徴とするものである。【００１０】
また、前記構成の振り柄を形成するに際し、前針床の編針に係止する前編地を後針床の編針に係止する後編地に対して、編目の傾斜方向と逆方向に予め所定量ずれた状態より編成することを特徴とするものである。【００１１】
そして、本発明に係る振り柄を有する筒状編地は、少なくとも前後一対の針床を備え、前後の針床が相対的にラッキング可能に構成された横編機を用いて編成される筒状の編地に、編目が左右に傾斜した状態の振り柄を有する筒状編地であって、編目の傾斜方向が左から右に変更される際には、前針床の編針に係止される前編地の右端の編目が後針床の空針に目移しされるとともに、後針床の編針に係止される後編地の左端の編目が前針床の空針に目移しされ、編目の傾斜方向が右から左に変更される際には、前針床の編針に係止される前編地の左端の編目が後針床の空針に目移しされるとともに、後針床の編針に係止される後編地の右端の編目が前針床の空針に目移しされることにより振り柄が形成されていることを特徴とするものである。
【発明の効果】
【００１２】
本発明に係る振り柄を有する筒状編地の編成方法は、少なくとも前後一対の針床を備え、前後の針床が相対的にラッキング可能に構成された横編機を用いて編成される編目が左右に傾斜した状態の振り柄を有する筒状編地を編成する際に、編目の傾斜方向を左から右に変更する際には、前針床の編針に係止する前編地の右端の編目を後針床の空針に目移しするとともに、後針床の編針に係止する後編地の左端の編目を前針床の空針に目移しし、編目の傾斜方向を右から左に変更する際には、前針床の編針に係止する前編地の左端の編目を後針床の空針に目移しするとともに、後針床の編針に係止する後編地の右端の編目を前針床の空針に目移しするので、編目の傾斜方向が変更した場合にも前後の編目の位置関係が崩れないことにより、前後編地の境界においても連続的な振り柄を形成した筒状編地を編成することができる利点がある。【００１３】
また、振り柄を形成するに際し、前針床の編針に係止する前編地を後針床の編針に係止する後編地に対して、編目の傾斜方向と逆方向に予め所定量ずれた状態より編成する場合には、前後針床の編針に係止する編地間に渡る渡り糸が短くてすむので、渡り糸の伸びや糸切れを生じにくくすることができる。【００１４】
そして、本発明に係る振り柄を有する筒状編地は、編目の傾斜方向が左から右に変更される際には、前針床の編針に係止される前編地の右端の編目が後針床の空針に目移しされるとともに、後針床の編針に係止される後編地の左端の編目が前針床の空針に目移しされ、編目の傾斜方向が右から左に変更される際には、前針床の編針に係止される前編地の左端の編目が後針床の空針に目移しされるとともに、後針床の編針に係止される右端の編目が前針床の空針に目移しされることにより振り柄が形成されているので、商品価値の高い振り柄入りの筒状編地にすることができる。
【図面の簡単な説明】
【００１５】
【図１】本発明の一実施形態に係る振り柄を有する筒状編地の部分拡大図である。
【図２】前記筒状編地の編成図である。
【図３】前記筒状編地の編成図である。
【図４】従来の振り柄を有する筒状編地の編成図である。
【符号の説明】
【００１６】
Ｌ，Ｒ  傾斜方向
【発明を実施するための最良の形態】
【００１７】
以下、本発明に係る振り柄を有する筒状編地及びその編成方法の最も好ましい実施の形態を図面に基づいて説明する。
本実施形態では、図示は省略したが、針床を前後一対で上下に配設され、前後の針床の双方が左右にラッキング可能な下部後針床、上部後針床、上部前針床、下部前針床を備えたいわゆる「四枚ベッドの横編機」を使用し、基準位置から相対的に上下後針床を０．５ピッチずらした状態で、前後両方の針床の編針に糸を供給することにより、下部後針床及び上部前針床で後編地を上部後針床及び下部前針床で前編地を編成して筒状編地を得る。【００１８】
尚、前後針床の一方のみが左右にラッキング可能な横編機を用いてもよく、また、針床を前後一対配設したいわゆる「２枚ベッドの横編機」を用いてもよい。
この２枚ベッドの横編機により本実施例の編地を編成する際は、１ピッチおきの編針を使って編成を行う「針抜き」により実施することができる。
そして、編成方法は図２，３で示す編成コース１〜１４により説明を行う。【００１９】
図１は本発明の一実施形態に係る振り柄を有する筒状編地の下部後針床の編針に係止される後編地を後側から見た状態の部分拡大図である。この編地は、編目が左右に傾斜した柄を有し、下段Ｊ１及び上段Ｊ２の一部の編目の傾斜方向Ｒは図１において垂直方向から右であり、中段Ｋの編目の傾斜方向Ｌは図１において垂直方向から左であって、下段Ｊ１と中段Ｋとの境界、及び中断Ｋと上段Ｊ２との境界において編目の傾斜方向がそれぞれ右から左、及び左から右に変更した振り柄となっている。【００２０】
図２，３は、図１に示す振り柄を有する筒状編地の編成図であって、左側の数字は編成コースを示す。
各編成コースは、４枚ベッドの各針床を示しており、下部後針床をＢＤ、上部後針床をＢＵ、上部前針床をＦＵ、下部前針床をＦＤとして示している。
また、英大文字Ａ，Ｂ，Ｃ，・・・，ＩはＢＤ及びＢＵの編針を示し、英小文字ａ，ｂ，ｃ，・・・，ｉはＦＵ及びＦＤの編針を示す。
尚、編成コース１〜１４においては便宜上この大小英文字は適宜省略してあり、その編針の数も説明の便宜上、実際の数よりも少なく表示してある。【００２１】
また、編成コース１〜１４の右側に示す英数字は針床のラッキング位置を示し、右方へのラッキングはＲ、左方へのラッキングはＬで示し、例えば編成コース１におけるＢＤ及びＢＵのＬ０．５Ｐは、ＢＤ及びＢＵが基準位置より左０．５ピッチの位置にあることを示している。
そして、編針の位置に示す黒丸はニット、Ｖ文字はタック、白丸は旧ループ、矢印は目移し、破線は旧ループとして前後の針床の編針に係止される糸の渡り、実線は編成時の前後針床の編針に係止される編地の糸の渡りを示す。【００２２】
編成コース１は、筒状編地の編み出し部分又は所定量編成を行った編地に引き続いて、筒状編地の周面に編目の傾斜方向が右である振り柄を形成するにあたり、ＦＤの編針ａ〜ｈに係止する前編地を、ＢＤの編針Ｂ〜Ｉに係止する後編地に対して、予め所定量ずれた状態としている。
即ち、ＦＤの編針ａ〜ｈに係止する前編地、及びＢＤの編針Ｂ〜Ｉに係止する後編地は後述する編成コース２〜１１に示す目移し及びラッキングによって、図１の下段Ｊ１及び上段Ｊ２に示すように、編目の傾斜方向Ｒが右に傾斜して形成されるが、このような編成を行うにあたり、ＦＤの編針ａ，ｈに係止する編地の両端の編目はＢＤの編針Ｂ，Ｉに係止する編地の両端の編目に対して左に１ピッチずれた状態となっている。【００２３】
編成コース２は、このような状態からＢＤの編針Ｂ，Ｄ，Ｆ，Ｈに係止している編目を、当該ＢＤの編針からＦＵの空針ｂ，ｄ，ｆ，ｈに目移した状態を示し、編成コース３は、ＢＤの編針Ｃ，Ｅ，Ｇ，Ｉに係止する編目と、ＦＵの編針ｂ，ｄ，ｆ，ｈに目移しした編目との相対位置を変更するようＦＵとＦＤを右に２ピッチだけ移動する第１のラッキングを行ってＲ２．０Ｐとした後、ＢＤの編針Ｃ，Ｅ，Ｇ，Ｉに係止する編目とＦＵの編針ｂ，ｄ，ｆ，ｈに目移しした編目に対し給糸して編成を行った状態を示す。
その際、片畦としての振り柄を形成するために、ＢＤに係止する編目はタックし、タックとニットを繰り返すようにする。【００２４】
編成コース４では、ＢＤとＦＵとのそれぞれの編針に係止する編目の相対位置が前記第１のラッキング前の相対位置になるようＦＵとＦＤを左に２ピッチ移動する第２のラッキングを行ってＬ０．０Ｐの位置に戻し、ＦＵの編針ｂ，ｄ，ｆ，ｈに目移しした編目列の編目をＢＤの空針Ｂ，Ｄ，Ｆ，Ｈに目移しする。【００２５】
編成コース５では、ＦＤの編針に係止する前編地の編成を行うため、ＦＤの編針ａ〜ｈに係止する編目のうちｂ，ｄ，ｆ，ｈに係止する編目を、当該ＦＤの編針からＢＵの空針Ｂ，Ｄ，Ｆ，Ｈに目移しし、編成コース６では、ＦＤの編針ａ，ｃ，ｅ，ｇに残っている編目と、ＢＵの編針Ｂ，Ｄ，Ｆ，Ｈに目移しした編目との相対位置を変更するようＢＵとＢＤを左に２ピッチだけ移動する第１のラッキングを行ってＢＵとＢＤをＬ２．５Ｐとする。
ＦＤの編針ａ，ｃ，ｅ，ｇに係止する編目とＢＵの編針Ｂ，Ｄ，Ｆ，Ｈに目移しした編目とに対し給糸して編成を行うが、編成コース３と同様にＦＤの編針ではタックを行う。【００２６】
編成コース７では、ＢＤとＦＵとのそれぞれの編針Ｂ，Ｄ，Ｆ，Ｈ及びａ，ｃ，ｅ，ｇに係止する編目の相対位置が前編地の編成における第１のラッキング前の相対位置になるようＢＵとＢＤについて右に２ピッチ移動する第２のラッキングを行ってＬ０．５Ｐの位置に戻し、ＢＵの編針Ｂ，Ｄ，Ｆ，Ｈに目移しした編目列の編目をＦＤの針床の空針ｂ，ｄ，ｆ，ｈに目移しし、これで、ＢＤ〜ＦＤの編針に係止する前後編地の１コース分の周回編成が終了する。【００２７】
編成コース７の次のＢＤの編針に係止する後編地の編成に際し、編成コース２に示す目移しと全く同様にして、ＢＤの編針Ｂ，Ｄ，Ｆ，Ｈに係止する編目をＦＵの空針ｂ，ｄ，ｆ，ｈに目移しした状態とし、第１のラッキングを行わずに編成コース８ではＢＤの編針Ｃ，Ｅ，Ｇ，Ｉに係止する編目とＦＵの編針ｂ，ｄ，ｆ，ｈに目移しした編目に対し給糸して編成を行う。
その際、ＢＤの編針Ｃ，Ｅ，Ｇ，Ｉに係止する編目については、編成コース３と異なりニットする。
編成コース９は、第２のラッキングも行うことなく、ＦＵの編針ｂ，ｄ，ｆ，ｈに目移しした編目列の編目を目移し前と同じの編針Ｂ，Ｄ，Ｆ，Ｈに目移しする状態を示す。【００２８】
編成コース９の次のＦＤの編針に係止する前編地の編成に際し、編成コース５と同様の目移しであるＦＤの編針ｂ，ｄ，ｆ，ｈに係止する編目をＢＵの空針Ｂ，Ｄ，Ｆ，Ｈへの目移しを行った後、編成コース１０では第１のラッキングを行うことなくＦＤの編針ａ，ｃ，ｅ，ｇに係止する編目とＢＵの編針Ｂ，Ｄ，Ｆ，Ｈに目移しした編目とに対し給糸して編成を行う。
その際、編成コース８と同様にＦＤの編針ａ，ｃ，ｅ，ｇはニットする。
編成コース１１は、ＢＵの編針Ｂ，Ｄ，Ｆ，Ｈに係止する編目を目移し前のＦＤの位置と同位置である編針ｂ，ｄ，ｆ，ｈに目移しする状態を示す。【００２９】
以上の編成コース１〜１１を繰り返すことにより、ＦＤの編針ａ〜ｈに係止する前編地及びＢＤの編針Ｂ〜Ｉに係止する後編地はともに編目が右に傾斜した振り柄を形成する。
このように編成コース１で前編地を後編地に対し１ピッチずれた状態として振り柄を形成することにより、編成コース３，６でＦＵ，ＦＤ及びＢＤ，ＢＵをそれぞれラッキングした際に、破線で示す筒状編地の左端部の渡り糸ｗが編成コース３ではＦＵの編針ｂとＦＤの編針ａとの間、編成コース６ではＢＤのＢとＦＤのａとの間に渡るのでともに１ピッチ分の長さとすることができる。
これに対し仮に編成コース１で前編地と後編地とがずれていない状態即ち前編地をＦＤの編針ａ〜ｈに係止した際に後編地をＢＤの編針Ａ〜Ｈに係止するとすると、編成コース３，６では一点鎖線で示す渡り糸ｙがともにＢＤのＡとＦＤのａとの間に渡り２ピッチ分の長さとなる。
よって、前編地を後編地に対し編目の傾斜方向と逆方向に１ピッチずれた状態より振り柄を編成することで、ずれない状態より編成する場合に比較して渡り糸の長さを１ピッチ分短くすることができ渡り糸の糸切れや当該部分の編目の伸びが発生しずらくなる。【００３０】
次に、図１に示す、編目の傾斜方向Ｒを編地の下段Ｊ１から中段Ｋに至る際に傾斜方向Ｌに変更した状態となる振り柄を形成するには、編成コース１〜１１を所定数繰り返して下段Ｊ１を編成したところで、前記した編成コース３，６で行った第１のラッキングの振り方向を逆方向にして編成を行う。【００３１】
その際、編成コース１１に続く編成コース１２では、編目の垂直方向からの傾斜方向を右から左に変更するので、ＦＤの編針ａに係止する前編地の左端の編目をＢＤの空針Ａに目移しするとともに、ＢＤの編針Ｉに係止する後編地の右端の編目をＦＤの空針ｉに目移しする。
ここで、編針ａ，Ｉに係止する編目をそのまま編針Ａ，ｉに目移ししてもよいが、編針ａ，Ｉに係止する編目をそれぞれ予め捻ってニットしておき、該編針ａ，Ｉに対向する編針Ａ，ｉに目移しして捻れを解く編成を行ってもよい。
このように編針ａ，Ｉに係止する編目を捻って解く編成とすることで、編地の表側に現れる編目を、目移し後も編目が捻れないようにすることができるので、より完成度の高い連続的な柄を形成できる。【００３２】
そして、編成コース２と同様の目移しを行った後、編成コース１３では、編成コース３とは逆方向に第１のラッキングを行い、ＦＵとＦＤをＬ２．０Ｐとし、ＢＤの編針Ａ，Ｃ，Ｅ，Ｇに係止する編目とＦＵの編針ｂ，ｄ，ｆ，ｈに係止する編目に対し給糸して編成し、その際、ＢＤの編針Ａ，Ｃ，Ｅ，Ｇが係止する編目はタックを行う。
編成コース１３の次は編成コース４に示すＢＤとＦＵとのそれぞれの編針Ａ，Ｃ，Ｅ，Ｇ及びｂ，ｄ，ｆ，ｈに係止する編目の相対位置が編成コース１３の第１のラッキング前の相対位置になるようＦＵとＦＤを右に２ピッチ移動する第２のラッキングを行ってＬ０．０Ｐの位置に戻し、ＦＵの編針に目移しした編目列の編目ｂ，ｄ，ｆ，ｈをＢＤの針床の空針Ｂ，Ｄ，Ｆ，Ｈに目移しする。【００３３】
ＦＤの編針ｂ〜ｉに係止する編地の編成に際し、編成コース５と同様の目移しを行い、ＦＤの編針ｂ，ｄ，ｆ，ｈに係止する編目をＢＵの空針Ｂ，Ｄ，Ｆ，Ｈに目移しした後、編成コース１４では、ＢＵとＢＤを右に２ピッチ移動する第１のラッキングを行いＲ１．５Ｐとして、ＦＤの編針ｃ，ｅ，ｇ，ｉに係止する編目とＢＵの編針Ｂ，Ｄ，Ｆ，Ｈに目移しした編目とに対し給糸して編成を行う。
その際、ＦＤの編針ｃ，ｅ，ｇ，ｉに係止する編目については、タックとする。【００３４】
編成コース７に示すように編成コース１４の第１のラッキング前の相対位置にＢＤとＢＵについて左に２ピッチ移動する第２のラッキングを行ってＬ０．５Ｐの位置に戻し、ＢＵの編針Ｂ，Ｄ，Ｆ，Ｈに目移しした編目列の編目をＦＤの針床の空針ｂ，ｄ，ｆ，ｈに目移しする。【００３５】
編成コース８〜１１と同様に、目移しの後の第１のラッキング及び第２のラッキングを行うことなく編成を行い、図１に示す中段Ｋと上段Ｊ２との境界に達し編目の傾斜方向を変更するまで、編成コース２〜１１のうち、編成コース３を編成コース１３に、編成コース６を編成コース１４に置き替えた場合の編成を繰り返す。【００３６】
このように編成コース１２で、編目の傾斜方向Ｒが編地の所定箇所で右から左に変更した状態の振り柄を形成する際に、ＦＤの編針ａに係止する編目をＢＤの空針Ａに目移しするとともに、ＢＤの編針Ｉに係止する編目をＦＤの空針ｉに目移しするので、編目の傾斜方向が変更した後に編成される編地についても連続的な振り柄を形成することができる。
そして、編目の傾斜方向Ｌを図１に示す中段Ｋから上段Ｊ１に至る際に左から右に変更する際には、編成コース１２とは逆に、ＢＤの編針Ａに係止する編目をＦＤの空針ａに目移しするとともに、ＦＤの編針ｉに係止する編目をＢＤの空針Ｉに目移しすることで、編成コース１の状態とする。
このようにして、編目の傾斜方向が左右に複数回変更した場合であっても連続的な振り柄が形成可能となる。【００３７】
尚、上記の実施例においては、筒状編地の表側に現れる編目がタックとニットを繰り返す片畦編成としたが、本発明に係る振り柄を有する筒状編地及びその編成方法はこれに限定されず、筒状編地の表裏側双方の編目をタックとニットを繰り返す両畦編成としてもよく、或いはタックを一切行わずに全てニットとしてもよい。
また、上記実施形態では、第１及び第２のラッキングを行うとともに筒状編地の表側に現れる編目をタックする編成コース２〜６に示すステップを、ラッキングを行わず筒状編地の表側に現れる編目をニットする編成コース８〜１１に示すステップよりも先に行ったが、これに限定されず、編成コース２〜６に示すステップと編成コース８〜１１に示すステップとは順序が逆になってもよい。
そして、筒状編地の前後編地の編目のうち、形成される振り柄の傾斜方向と逆方向に予めずれた状態としたのは両端の編目であったが、前後編地の一端側の編目のみであってもよい。
【図１】
2009072617.tif 000003
【図２】
2009072617.tif 000004
【図３】
2009072617.tif 000005
【図４】
2009072617.tif 000006
【国際調査報告】
2009072617.tif 000007
2009072617.tif 000008
2009072617.tif 000009
2009072617.tif 000010